(57)【特許請求の範囲】
【請求項１】
第１撮像部と、
前記第１撮像部により撮像された画像を表示可能な表示画面と、
前記表示画面に対向する物体の画像を撮像する第２撮像部と、
撮影者が操作可能な操作部と、
前記第２撮像部で撮像された画像に前記撮影者の顔が存在することを検出したときに、前記表示画面を点灯させて撮影の設定に関する情報を表示し、前記表示画面が点灯している状態において前記操作部が操作されたら前記第１撮像部により撮像される画像に基づくライブビューを前記表示画面に表示する制御を行う制御部と、
を備えることを特徴とする撮像装置。
【請求項２】
請求項１に記載された撮像装置であって、
前記表示画面が点灯している状態において、前記制御部は、所定の時間間隔で前記第２撮像部での撮影を行って、当該第２撮像部で撮像された画像に前記撮影者の顔が存在するか否かを検出し続けることを特徴とする撮像装置。
【請求項３】
請求項２に記載された撮像装置であって、
前記制御部は、前記第２撮像部で撮像された画像に前記撮影者の顔が存在しないことを検出したら、前記表示画面を消灯することを特徴とする撮像装置。
【請求項４】
請求項１から請求項３までの何れか１項に記載された撮像装置であって、
前記第２撮像部は、パンフォーカスのカメラであることを特徴とする撮像装置。
【発明の詳細な説明】
【技術分野】
【０００１】
本発明は、撮像装置に関する。
【背景技術】
【０００２】
従来、カメラの背面液晶を制御する方法として、撮影者のファインダへの覗きこみを検出して、背面液晶を消灯する方法が提案されている。
【０００３】
しかしながら、従来の技術では、ファインダ付近の物体を検出して背面液晶を消灯しているに過ぎず、撮影者のファインダへの覗きこみ以外の現象を検出して背面液晶を消灯してしまうことがあり、カメラの使用性を低下させてしまっていた。
【先行技術文献】
【特許文献】
【０００４】
【特許文献１】特開平９−３３１４７２号公報
【発明の概要】
【発明が解決しようとする課題】
【０００５】
本発明の目的は、好適な撮影が可能な撮像装置を提供することである。
【課題を解決するための手段】
【０００６】
上記目的を達成するために、本発明の第１の観点に係る撮像装置（１００）は、
第１光学系により形成された第１画像を撮像可能な第１撮像部（１２）と、
前記第１画像を表示可能な表示画面（２）と、
前記表示画面（２）に対向する物体の像を形成可能な第２光学系（４ａ）と、
前記第２光学系（４ａ）により形成された第２画像を撮像する第２撮像部（４）と、
前記第２画像を用いて撮影者に関する情報を取得し、前記情報に基づいて前記表示画面（２）の表示を制御する制御部（８）とを含む。
【０００７】
前記撮像装置（１００）は、前記第１撮像部（１２）を用いて撮像をするために撮影者が操作可能な操作部（７）を有しても良く、
前記制御部（８）は、前記操作部（７）が操作される前に取得された前記第２画像に、前記撮影者の顔が含まれていたとき、前記第１撮像部（１２）に取得させた動画像を前記表示画面２に表示するように制御しても良い。
【０００８】
前記撮像装置（１００）は、前記第１撮像部（１２）を用いて撮像をするために撮影者が操作可能な操作部（７）を有し、
前記制御部（８）は、前記操作部（７）が操作される前に取得された前記第２画像に、前記撮影者の顔が含まれていたとき、撮影の設定に関する情報を前記表示画面（２）に表示するように制御しても良い。
【０００９】
前記制御部（８）は、前記第１画像が撮像された後に取得された前記第２画像に、前記撮影者の顔が含まれていたとき、前記表示画面２に前記第１画像を表示するように制御しても良い。
【００１０】
前記制御部（８）は、前記第２画像を用いて前記表示画面（２）と前記撮影者の顔との距離を演算し、前記距離に応じて前記表示画面２の輝度を制御しても良い。
【００１１】
前記撮像装置（１００ａ）は、装置の姿勢を検出する姿勢検出部（３８）を有し、
前記制御部（８）は、前記姿勢検出部（３８）により検出された姿勢、及び、前記第２画像を用いて前記表示画面（２）の表示を制御しても良い。
【００１２】
本発明の第２の観点に係る撮像装置（１００ｂ）は、第１光学系により形成された第１画像を撮像可能な第１撮像部（１２）と、
前記第１画像を表示可能な表示画面（２ａ）と、
前記表示画面（２ａ）を駆動させる駆動部（４１〜４４）と、
前記表示画面（２ａ）に対向する物体の像を形成可能な第２光学系（４ａ）と、
前記第２光学系（４ａ）により形成された第２画像を撮像する第２撮像部（４）と、
前記第２画像を用いて撮影者に関する情報を取得し、前記情報に基づいて前記駆動部（４１〜４４）を制御する制御部（８）とを含んでも良い。
【００１３】
前記制御部（８）は、前記第２画像を用いて前記撮影者の動きを検出し、前記撮影者の動きに応じて前記表示画面（２ａ）が駆動するように前記駆動部（４１〜４４）を制御しても良い。
【００１４】
なお、上述の説明では、本発明をわかりやすく説明するために、実施形態を示す図面の符号に対応付けて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【図面の簡単な説明】
【００１５】
【図１】図１は、本発明の一実施形態に係るデジタルカメラの概略構成図である。
【図２】図２は、図１に示すデジタルカメラの概略背面図である。
【図３】図３は、図１に示すデジタルカメラの動作の一例を示すフローチャートである。
【図４】図４は、図１に示すデジタルカメラにおいて、撮影者に関する情報を取得する例を示す図である。
【図５】図５は、本発明の第２実施形態に係るデジタルカメラの概略構成図である。
【図６】図６は、図５に示すデジタルカメラの動作の一例を示すフローチャートである。
【図７】図７は、撮影者とデジタルカメラの位置関係から推測される撮影者のカメラに対する操作の一例を示す図である。
【図８】図８は、本発明の第３実施形態に係るデジタルカメラの概略構成図である。
【図９】図９は、図８に示すデジタルカメラの動作の一例を示すフローチャートである。
【発明を実施するための形態】
【００１６】
第１実施形態
まず、図１と図２に基づき、本発明の第１実施形態に係るデジタルカメラ１００について説明する。図１は、本発明の一実施形態に係るデジタルカメラ１００の概略構成図である。デジタルカメラ１００は、撮像素子１２等が備えられるカメラ本体部２００と光学部材群２８等が備えられるレンズ鏡筒部３００とを有する。カメラ本体部２００とレンズ鏡筒部３００とは、不図示のマウントを介して機械的に接続されると同時に電気的にも接続される。
【００１７】
カメラ本体部２００の外側は、背面液晶２、撮影者向カメラ４、レリーズ釦６に加え、電源やデジタルカメラ１００の設定等を設定するスイッチ類７（図２）を有する。
【００１８】
背面液晶２は、ＣＰＵ８に制御されて、撮像素子１２からの画像信号に基づくライブビューや、メモリーカード２０に記憶された画像データ、撮影条件等を表示する。
【００１９】
撮影者向カメラ４は、撮影者に関する情報を取得するためのカメラで、背面液晶２の上部直近に設置されていて、撮影者方向を向いて撮影者に関する情報を撮影する。以下の実施例において用いられる撮影者向カメラ４としては、特に限定されないが、パンフォーカスのカメラが好ましい。撮影者向カメラ４は、不図示のＣＣＤやＣＭＯＳ等のイメージセンサや、イメージセンサに像を結像する光学系４ａ等を有している。光学系４ａは、背面液晶２に対向する物体である撮影者の顔等の像を、撮影者向カメラ４に含まれるイメージセンサの撮像面に形成することができる。撮影者向カメラ４に含まれるイメージセンサは、光学系４ａにより形成された撮影者の顔等の画像を撮像する。撮影者向カメラ４は、ＣＰＵ８によって制御されて画像を撮像し、ＣＰＵ８に出力する。ＣＰＵ８は、撮影者向カメラ４によって撮像された画像を用いて撮影者に関する画像を取得できる。
【００２０】
レリーズ釦６は、撮影者によって操作される押しボタンスイッチであり、デジタルカメラ１００の入力部として機能する。レリーズ釦６は、半押し操作（ファーストレリーズ操作）および全押し操作（セカンドレリーズ操作）の２段階の操作が可能となっている。レリーズ釦６は、撮影者の半押し操作に対応して、ＣＰＵ８に半押し信号を出力し、撮影者の全押し操作に対応して、ＣＰＵ８に全押し信号を出力する。
【００２１】
カメラ本体部２００の内側は、ＣＰＵ８、撮像素子駆動回路１０、撮像素子１２、画像処理回路１４、画像メモリ１６、画像圧縮部１８、メモリーカード２０、カードインターフェース２２、焦点検出装置２４、クイックリターンミラー２６を有する。
【００２２】
撮像素子駆動回路１０は、ＣＰＵ８に制御されて、撮像素子１２を駆動するための駆動信号を出力する。駆動信号は、撮像素子１２における電荷の蓄積や蓄積された電荷の読み出しを制御する。
【００２３】
撮像素子１２は、撮像素子駆動回路１０からの駆動信号を受けて、画像処理回路１４に画像信号を出力する。撮像素子１２は、ＣＣＤやＣＭＯＳ等のイメージセンサで構成され、レンズ鏡筒部３００を介して撮像素子１２に結像された被写体の像を光電変換して画像信号を出力する。
【００２４】
画像処理回路１４は、撮像素子１２から入力された画像信号に対して、ノイズ処理やＡ／Ｄ変換等を行って、画像メモリ１６に出力する。
【００２５】
画像メモリ１６は、画像信号を一時的に記憶する主記憶装置で、ＣＰＵ８に制御されて画像信号を入出力する。画像メモリ１６に入力された画像信号は、ＣＰＵ８に制御されて、直接又は画像圧縮部１８で圧縮されて、ＣＰＵ８に出力される。
【００２６】
ＣＰＵ８は、ズーミングやフォーカシング等の撮影準備動作や露光動作など、デジタルカメラ全体１００の制御を行う。例えば、ＣＰＵ８は、レリーズ釦６から半押し操作の入力信号があった時に、焦点検出装置２４からの距離情報等に基づき、光学部材群２８を適した位置に配置するように制御することで、フォーカシング制御を行う。また、レリーズ釦６から全押し操作の入力信号があった時は、クイックリターンミラー２６を跳ね上げ、不図示のシャッタを開口することで、被写体の像を撮像素子１２に導いて撮影する。
【００２７】
メモリーカード２０は、カードインターフェース２２を介してＣＰＵ８によって制御される。メモリーカード２０は、撮影結果や撮影時の条件等を記憶する。
【００２８】
レンズ鏡筒部３００は、被写体の像を撮像素子１２に結像するための光学部材群２８と、光学部材群２８を駆動するための光学部材群駆動モータ３０、光学部材群駆動モータ３０を制御するための光学部材群制御回路３２、そして、光学部材群２８の位置を検出するエンコーダ３４を有する。また、レンズ鏡筒部３００の焦点距離や開放Ｆナンバー等の固有情報を有したレンズ情報回路３６を有する。レンズ情報回路３６は、カメラ本体部２００とレンズ鏡筒部３００がマウントを介して接続されることで、ＣＰＵ８と接続されてレンズ鏡筒部の固有情報をＣＰＵ８に渡す。
【００２９】
次に図３に示すフローチャートに基づいて、第１実施形態に係るデジタルカメラ１００の動作を説明する。
【００３０】
ステップＳ１でデジタルカメラ１００の電源スイッチがＯＮにされて、ステップＳ２で撮影者向カメラ４が起動される。
【００３１】
ステップＳ３で撮影者向カメラ４は、ＣＰＵ８に制御されて、撮影者方向（図１）を撮影して、撮影者画像信号をＣＰＵ８に出力する。そして、ステップＳ４でＣＰＵ８は、入力された撮影者画像信号に、撮影者の顔に関する情報が含まれているか、すなわち、撮影者向カメラ４の画角内に撮影者の顔が存在しているか否かを判断する。ここで、撮影者向カメラ４の画角内に撮影者の顔が存在しなかった場合は、ステップＳ３に戻り、再び撮影者方向を撮影する。ＣＰＵ８は、ステップＳ３とステップＳ４の手順を決められた時間間隔で繰り返し、撮影者向カメラ４の画角内に撮影者の顔を検出する。
【００３２】
ステップＳ４で撮影者向カメラ４の画角内に撮影者の顔が検出されると、ステップＳ５でＣＰＵ８は、背面液晶２を起動させて、撮影可能枚数や撮影条件等のデジタルカメラ１００の設定に関する画像を表示させる。この時、カメラの設定に関する画像を表示させる理由としては、撮影者は、撮影を行う前に、撮影可能枚数や撮影条件等のカメラの設定に関する情報を確認したり、撮影条件等の設定を調整したりすると考えられるからである。
【００３３】
ステップＳ５で背面液晶２が起動された状態において、ステップＳ６でレリーズ釦６の半押し信号がＣＰＵ８に入力されると、ステップＳ７でＣＰＵ８は、背面液晶２に撮像素子１２からの画像信号に基づくライブビューを表示させる。ステップＳ５でデジタルカメラ１００の設定に関する画像が表示された状態で、撮影者がレリーズ釦６を半押し操作した状態は、被写体方向を撮影する準備が整って、撮影者がライブビューを見ながら撮影を行う状態にあると考えられるからである。
【００３４】
ここで、図３に示すフローチャートには不図示だが、ステップＳ４で背面液晶２が起動された後も、ＣＰＵ８は、決められた時間間隔で、撮影者向カメラ４を作動させて、撮影者の顔が撮影者カメラ４の画角内に存在するか否かを検出し続ける。背面液晶２を起動してから所定の時間が経過したときに、撮影者向カメラ４の画角内に撮影者の顔が検出されている場合は、背面液晶２への表示は継続される。また、画角内に撮影者の顔が検出されなかった場合は背面液晶２が消灯される。背面液晶２が消灯されると、ステップＳ３に戻り、ＣＰＵ８は、撮影者向カメラ４の画角内に撮影者が検出されるのを待つ。
【００３５】
前述した顔の検出について、図４（Ａ）〜（Ｃ）を用いて具体的に説明する。カメラ１００で実施される顔の検出は、撮影者向カメラ４の画角内に撮影者の顔が存在しているか否かを検出するだけでなく、さらに詳細な顔の検出を行うことができる。例えば本実施例においては、ＣＰＵ８は、撮影者向カメラ４で取得した撮影者画像信号から、撮影者の顔と撮影者向カメラ４との距離関係及び位置関係を演算して、撮影者に関する情報を取得している。ここで、撮影者向カメラ４は先に述べたようにパンフォーカスのカメラであるため、撮影者の顔と撮影者向カメラ４の間の距離は、撮影者向カメラ４が取得した撮影者画像信号の全体の面積に対する被写体の面積と相関がある。したがって、本実施例においては、撮影者の顔の面積を演算することで、撮影者向カメラ４と被写体の距離を演算している。
【００３６】
ここで、図４（Ａ）〜（Ｃ）において、点線の枠は、撮影者画像信号の全体の面積に対する顔の面積の大きさと顔の位置を判断する際の目安として、説明の便宜のために追記した枠である。
【００３７】
例えば、図４（Ａ）において、ＣＰＵ８は、撮影者画像信号に対する撮影者の顔の面積が小さすぎるため、撮影者と背面液晶２の間の距離が遠く、撮影者は背面液晶２を見ようとしていないと判断して、背面液晶２を消灯する。
【００３８】
例えば、図４（Ｂ）において、ＣＰＵ８は、撮影者画像信号に対する撮影者の顔の面積から、撮影者と背面液晶２の間の距離は、撮影者が背面液晶２を見ようとしている距離にあると判断して背面液晶２を点灯する。
【００３９】
例えば、図４（Ｃ）において、ＣＰＵ８は、撮影者画像信号に対する撮影者の顔の面積が大きすぎるため、撮影者と背面液晶２の間の距離が近く、撮影者はファインダを覗いている等の状況にあり、背面液晶２を見ていないと判断して、背面液晶２を消灯する。
【００４０】
また、図４（Ａ）〜（Ｃ）の例には無いが、撮影者の顔の中心が、撮影者画像信号の中心からずれている場合についても、ＣＰＵ８は、撮影者が背面液晶２を見ようとしていない状態にあると判断して背面液晶２を消灯する。
【００４１】
このように、第１実施形態のデジタルカメラ１００は、撮影者向カメラ４で取得した撮影者画像信号から、撮影者向カメラ４と撮影者との距離関係及び位置関係を演算して撮影者に関する情報を取得している。そして、その撮影者に関する情報を利用して、デジタルカメラの撮影者による操作を補助することで、使用性の高いユーザインタフェースのデジタルカメラを実現している。
【００４２】
一方で第１実施形態のデジタルカメラ１００は、撮影者の顔を検出して、背面液晶２の点灯と消灯を制御しているため、従来技術のように別物体を誤検出してしまうようなことを防止できる。従って、デジタルカメラの使用性を損ねないで、低消費電力化を実現できる。
【００４３】
第２実施形態
次に、図５に示す第２実施形態のデジタルカメラについて説明する。第２実施形態のデジタルカメラ１００ａは、カメラ本体２００ａに姿勢センサ３８を有している点で異なる。姿勢センサ３８は、デジタルカメラ１００ａの姿勢を検知して姿勢信号をＣＰＵ８に出力する、その他の構成については第１実施形態のデジタルカメラ１００と同様のため、重複する説明を省略する。
【００４４】
図６に示すフローチャートを用いて第２実施形態に係るデジタルカメラ１００ａの動作について説明する。
【００４５】
ステップＳ１１でデジタルカメラ１００ａの電源がＯＮにされると、ステップＳ１２で姿勢センサ３８はデジタルカメラ１００ａの姿勢検出を開始して、姿勢信号をＣＰＵ８に出力する。ＣＰＵ８は、ステップＳ１２で入力された姿勢信号からデジタルカメラ１００ａの向きが下向きであることを検出すると、ステップＳ１３で撮影者向カメラ４を起動する。
【００４６】
ステップＳ１３で撮影者向カメラ４が起動されると、ステップＳ１４で撮影者向カメラ４は、ＣＰＵ８に制御されて撮影者方向（図５）を撮影して、撮影者画像信号をＣＰＵ８に出力する。ステップＳ１５でＣＰＵ８は、入力された撮影者画像信号に、撮影者の顔に関する情報が含まれているか、すなわち、撮影者向カメラ４の画角内に撮影者の顔が存在しているか否かを判断する。ここで、撮影者向カメラ４の画角内に撮影者の顔が存在しなかった場合は、ステップＳ１４に戻り、再び撮影者方向を撮影する。ＣＰＵ８は、ステップＳ１４とステップＳ１５の手順を決められた時間間隔で繰り返し、撮影者向カメラ４の画角内に撮影者の顔を検出する。
【００４７】
ステップＳ１５で撮影者向カメラ４の画角内に撮影者の顔が検出されると、ステップ１６でＣＰＵ８は、背面液晶２を起動する。
【００４８】
ここで、図７を用いて、撮影者とカメラの位置関係から推測される撮影者のカメラに対する操作について説明する。図７では、撮影者がカメラを下向きに構えて背面液晶を見ている。この体勢においては、撮影者はおおよそ、撮影の準備をしているのではなく、カメラの設定の確認か設定の調整、もしくは撮影した画像の確認をすると考えられる。
【００４９】
そこで、ステップ１７では、デジタルカメラ１００ａの電源が投入されてからステップ１７の時点までに撮影が行われているか否かをＣＰＵ８が判断し、当該判断に応じて撮影者が求める操作を推測している。撮影がまだ行われていない場合は、ステップ１８でＣＰＵ８は、背面液晶２に設定画像を表示させる。前述したように、撮影者は撮影を行う前に、カメラの設定等を確認したり、調整したりすると考えられるからである。
【００５０】
また、撮影が既に行われている場合は、ステップ１９でＣＰＵ８は、背面液晶２に、直前に撮影した画像を表示させる。撮影が終わった後に、背面液晶２を見る目的は、直前に撮影した画像を見るためにあると考えられるからである。
【００５１】
このように、第２実施形態のデジタルカメラ１００ａは、撮影者向カメラ４から得られる撮影者に関する情報に加えて、カメラ本体２００ａに備えられた姿勢センサ３８から得られるデジタルカメラ１００ａの姿勢信号を用いて、背面液晶２の操作の簡略化を実現することで、更に使用性の高いユーザインタフェースのデジタルカメラを実現している。
【００５２】
第３実施形態
次に、図８（Ａ）〜（Ｃ）に示す第３実施形態のデジタルカメラ１００ｂについて説明する。第３実施形態のデジタルカメラ１００ｂは、図１に示すデジタルカメラ１００と比較して、背面液晶２ａが可動可能なバリアングル液晶である点で異なる。ＣＰＵ８は、背面液晶２ａの向きを４点の背面液晶駆動部４１〜４４で制御する。また、本実施形態においては、撮影者向カメラ４は、第１実施形態と比較して広い範囲の撮影をする必要があるため、魚眼レンズ等の広角なレンズを有していることが好ましい。その他の構成については同一のため、重複する説明を省略する。
【００５３】
図９のフローチャートを用いて、本実施形態の動作を具体的に説明する。ここで、ステップＳ３１からステップＳ３４の撮影者を検出するまでの手順は、第１実施形態のステップＳ１からステップＳ４の手順と同一のため、重複する部分の説明を省略する。
【００５４】
ステップＳ３４で撮影者の顔を検出した後、ステップＳ３５でＣＰＵ８は、撮影者カメラ４の画角内の設定範囲に撮影者の顔があるか否かを判断する。ここで、撮影者カメラ４の画角内の設定範囲に撮影者の顔があるときとは、背面液晶２ａが撮影者の顔と対向している状態である。撮影者カメラ４の画角の設定範囲に撮影者の顔がない場合は、ステップＳ３６でＣＰＵ８は、背面液晶２ａの画角の設定範囲に撮影者の顔が入るように、背面液晶駆動部４１〜４４を制御する。すなわち、ＣＰＵ８は、背面液晶２ａが撮影者の顔と対向するように制御する。
【００５５】
ステップＳ３５で撮影者向カメラ４の画角内の設定範囲に撮影者の顔が入ると、ステップＳ３７で背面液晶２ａを起動させて、設定画像を表示させる。前述したように、撮影者は撮影に入る前に、カメラの設定等を確認したり、調整したりすると考えられるからである。背面液晶２ａに設定画像が表示された状態において、ステップＳ３８でレリーズ釦が半押しされると、ステップＳ３９でＣＰＵ８は、撮影者の撮影準備が整ったと判断してライブビューを表示させる。
【００５６】
なお、図９に示すフローチャートには不図示だが、ステップＳ３５で、撮影者の顔が撮影者向カメラ４の画角の設定範囲に入って背面液晶２ａが点灯された後も、ステップＳ３５とステップＳ３６の手順を繰り返す。すなわち、ＣＰＵ８は、背面液晶２ａを、撮影者の顔の動きにあわせて、撮影者の顔と常に対向するように、背面液晶駆動部（４１〜４４）を制御する。
【００５７】
ここで、撮影者の動作が素早く、撮影者向カメラ４で撮影者を追従できなかった場合に備えて、デジタルカメラはデジタルカメラの動きを検出する動きセンサを備えていても良い。動きセンサは加速度センサやジャイロ等で構成され、人間の動作に対して十分応答する応答速度を持つ。ＣＰＵ８は、撮影者向カメラ４が撮影者を見失った場合は、この動きを検出する動きセンサの出力を利用して、カメラの向きを制御しても良い。
【００５８】
また、本実施形態においては、背面液晶２ａを可動させるために４本の駆動部を示したが、駆動部の数には特にこだわらない。また、駆動部としては、ロボットアームのように、可動範囲がより自由なものであっても良い。
【００５９】
また、本実施形態においては、撮影者向カメラについて、広い視野角を持たせるために魚眼レンズを有したカメラを選択したが、例えば、ミラーを有するなどして構成した全方位を撮影できるカメラであっても良い。
【００６０】
なお、本発明は、上述した実施形態に限定されるものではない。
【００６１】
例えば、撮影者の顔と背面液晶との間の距離に応じて背面液晶の輝度を調整しても良い。撮影者の顔と背面液晶との間の距離に応じて背面液晶の輝度を調整することによって、例えば、撮影者の顔が背面液晶から離れている場合でも、撮影者は好適に背面液晶の表示内容を認識できる。
【００６２】
また例えば、ＣＰＵは、撮影者向カメラを連続的に動作させて動画を取得して撮影者に関する情報を取得しても良い。
【００６３】
また例えば、撮影者向カメラで撮影する撮影者に関する情報とは、撮影者の顔全体に関する情報に限定されず、目の間の距離等の他の特徴点や、指や腕の位置、顔や視線の向き、更にはこれらの動作に関する情報を含んでも良い。すなわち、ＣＰＵ８（図１等）は、撮影者向カメラ４で撮像された撮影者の指や腕の画像から、撮影者が求める操作を推測し、背面液晶２の表示を変更してもよい。例えば、ＣＰＵ８（図１等）は、撮影者の指の位置に関する情報を取得し、背面液晶２に表示される画像の一部を拡大等してもよい。
【００６４】
また例えば、ユーザを補助する機能としては、上記に限定されず、撮影者用カメラで取得した撮影者に関する情報を利用してさまざまな機能を提供できる。例えば、被写体を撮影した後に、撮影者が背面液晶を覗きこんだことを検出した時は、撮影した画像を表示すると共に、フォーカスを合わせた箇所をズームアップしたり、撮影条件を表示しても良い。
【００６５】
また例えば、あらかじめ、撮影者に関する情報を登録しておいて、新しく取得した撮影者に関する情報と比較しても良い。例えば、上述の実施例において顔情報を登録しておくことで、撮影者以外の人を検出してしまうような誤検知の可能性が除かれる。また、本人確認が可能になるため盗難防止の効果も期待できる。更に、顔の特徴を比較できるため、顔の横向き検知が可能になる上、撮影者の顔の大きさを特定できるため、撮影者と背面液晶の距離演算が高精度に行えるようになる。
【００６６】
また例えば、上述した実施例において、撮影者の顔と撮影者向カメラとの間の距離の演算において、撮影者画像信号に対する撮影者の顔の面積を利用して距離を演算していたが、距離の検出においては専用の距離センサを用いても良い。
【００６７】
また例えば、上述した実施例において、背面液晶の上方直近に撮影者向カメラが設置されているが、撮影者向カメラの設置位置にはこれに限定されず、撮影者を撮影できるような位置に設置されていれば良い。
【００６８】
また例えば、本発明に係る撮影装置は、上述のデジタルカメラに限らず、その他のスチルカメラやビデオカメラのような光学機器全体を意味する。
【符号の説明】
【００６９】
２、２ａ…表示画面
４…第２撮像部
４ａ…第２光学系
７…操作部
８…制御部
１２…第１撮像部
３８…姿勢検出部
４１〜４４…駆動部
１００、１００ａ、１００ｂ…撮像装置
【図１】
0005504741.tif 000002
【図２】
0005504741.tif 000003
【図３】
0005504741.tif 000004
【図４】
0005504741.tif 000005
【図５】
0005504741.tif 000006
【図６】
0005504741.tif 000007
【図７】
0005504741.tif 000008
【図８】
0005504741.tif 000009
【図９】
0005504741.tif 000010